(57)【要約】      （修正有）【課題】栽培ボトルの構造に関し、特に、植物を植えるのに使用され、さらに携帯に便利な植物栽培ボトルを提供する。【解決手段】ボトル体１、カップ台２、蓋体４、栽培培地３を組み合わせて形成されることを含む。該ボトル体１は上開口部および下開口部を有し、該カップ台２は高さを有する収容部である。該カップ台２の収容部は、第１収容部および第２収容部に分けられ、第２収容部の外径は、ボトル体１の下開口部の内径にちょうど適合し、ボトル体１の下開口部に装着すると、その辺縁凸リブが、ボトル体１の下開口部の外径部分をちょうど締め付けることができ、これにより、植物を交換する装置として使用することができる。該蓋体４の外径は、ボトル体１の上開口部の内径にちょうど適合し、上開口部に装着して重ね合わせて密閉される。その蓋体の下側に発光装置４１が設けられ、これにより、植物用の照明が構成される。【選択図】図１
0003178362.tif 000002
【実用新案登録請求の範囲】
【請求項１】
ボトル体、カップ台、栽培培地および蓋体を組み合わせて形成されることを含む、改良された栽培ボトル構造であって、このうち、前記カップ台の収容部に栽培培地を充填してから植物を栽培培地内に植え込み、さらにカップ台をボトル体の下開口部から嵌め込み、その収容部の外径および下開口部の内径を緊密に重ね合わせ、カップ台の辺縁凸リブが下開口部の外径縁をちょうど締め付けることができ、発光装置が設けられた前記蓋体の一端をボトル体の上開口部に嵌め込んで上開口部を密閉し、組み立てると、すなわち透過性を有する栽培ボトルであり、その特徴が、
前記ボトル体が上開口部および下開口部を有し、ボトル体下側の下開口部に近い部分に通気孔が設けられ、
前記カップ台の底部が密封された平面状であり、底部から上に向かって延伸し、高さを有する収容部が形成され、収容部の上側が開口状であり、その下部に外径を一体に取り囲む辺縁凸リブが設けられ、さらに収容部の外径がボトル体の下開口部の内径にちょうど適合し、ボトル体下開口部に装着すると、その辺縁凸リブがボトル体下開口部の外径部分をちょうど締め付けることができ、
前記蓋体の外径が、ボトル体上開口部の内径にちょうど適合し、上開口部に装着し重ね合わせて密閉され、その蓋体下側に発光装置が設けられ、蓋体上側に電源スイッチが設けられ、蓋体に通気用の切込部が設けられ、蓋体の密閉された内部に電源装置が設けられ、前記電源スイッチおよび電源装置が発光装置と電気的に接続される、
改良された栽培ボトル構造。
【請求項２】
前記栽培培地は、ロックウールが最も優れている、請求項１に記載の改良された栽培ボトル構造。
【請求項３】
前記栽培培地が、パーライト、砂、れき、籾殻、燻炭、発泡プラスチック、バーミキュライト、発泡煉石、化学合成繊維、ピートモス、おがくず、木の皮、ヤシ殻繊維、不織布などでよい、請求項１に記載の改良された栽培ボトル構造。
【請求項４】
蓋体の上側に設けられる前記電源スイッチが切換式スイッチであり、タッチ型の接触スイッチまたはブレスコントロールスイッチでもよい、請求項１に記載の改良された栽培ボトル構造。
【請求項５】
前記ボトル体の材質が透明度の高いプラスチック材質であり、例えばＰＥＴ、ＰＣ、ＰＣＴＡ、ＰＬＡなどのプラスチックで製造される、請求項１に記載の改良された栽培ボトル構造。
【請求項６】
前記カップ台の収容部が第１収容部および第２収容部に分けられ、その上側がどちらも開口状である、請求項１に記載の改良された栽培ボトル構造。
【請求項７】
前記第１収容部内の底面中央に盛上げ部が設けられ、盛上げ部が厚さを有するクッション体であり、これが第１収容部の底部から一体に形成され、盛上げ部の上面が第１収容部の底部よりわずかに高く、さらに周縁部の広さが第１収容部の底部の広さより小さく、貯水部が形成される、請求項６に記載の改良された栽培ボトル構造。
【考案の詳細な説明】
【技術分野】
【０００１】
本考案は栽培ボトルの構造に関し、特に、植物を植えるのに使用され、さらに携帯に便利な植物栽培ボトルに関する。
【背景技術】
【０００２】
研究によれば、現代人は忙しい生活のため、植物を植えたいという気持ちは持っているが、実現できないということがたびたびある。日常の生活環境において、または事務所内で植物を植える場合、水やりは、植物の生存に関わる重要な要素である。しかしながら、植物組織培地の大幅な進歩により、現在一般的な植物は仕事環境または特定の場所、例えば事務スペース、家庭の室内などで育成し、生長させることができるようになった。人々は至る所ですがすがしい緑を感じることができ、仕事中、または一日の仕事によって溜まった仕事のストレスを効果的にやわらげる。これにより、植物の栽培は、環境空間の制限を受けることはない。
【０００３】
一般に室内に設置される植物の鉢植えは、多くが植物組織培地を充填した花瓶、植木鉢を利用して栽培される。しかしながら、栽培ボトル内の植物は老化で枯れるか、または栽培に使用する養液の劣化のため、植物の根部の呼吸代謝機能が低下し、溶存酸素が不足して、植物の生長が緩慢になる弊害が容易に引き起こされる。栽培する植物の交換を容易に行うことができないか、あるいは養液を交換することができないために、栽培ボトル全体を廃棄しなければならないか、あるいは洗浄後にその他の用途に用いられる。これは、栽培ボトルが１つの上開口部しか持たず、その底部は完全に密封された構造であるためであり、一般の消費者は、その狭く小さい上開口部から自分で新しい植物を栽培ボトルに入れ、栽培することができない。
【０００４】
ほかに、これらの栽培ボトルの材質は主にガラスであり、植物の生長状態を見ることができ便利ではあるが、ガラス材質は割れやすい欠点を有し、ぶつけると割れてしまう。包装したものを携帯しても、運送する過程で割れる確率が高く、栽培ボトルを保護するために、包装のためのコストは大きな負担となる。したがって、市場における栽培ボトルの価格およびコストには、これらの過剰な包装および運送における損失費用が含まれることがよくある。
【０００５】
このため、出願人は以上の欠点に対して設計を改良し、植物を入れ替えることができる栽培ボトルを改良の主な目的とした。副次的な目的は、栽培ボトルの空気の対流を高める通気孔の設計であり、さらにボトル体の材質を透明度の高いプラスチック材質、例えばＰＥＴ、ＰＣ、ＰＣＴＡ、ＰＬＡなどのプラスチックに変更して製造すること、および発光装置を設置することにより、低光源または無光環境でも明瞭に観賞できる効果を達成することができる。
【考案の概要】
【考案が解決しようとする課題】
【０００６】
本考案は改良された栽培ボトル構造に関し、これは、ボトル体、カップ台、蓋体および栽培培地を組み合わせて形成されることを含む。
【課題を解決するための手段】
【０００７】
該ボトル体は上開口部および下開口部を有し、ボトル体の下側の下開口部に近い部分に通気孔が設けられる。
【０００８】
該カップ台の底部は密封された平面状であり、底部から上に向かって延伸し、高さを有する収容部が形成される。該収容部は第１収容部および第２収容部に分けられ、その上側は開口状であり、その下側の底部付近に、収容部の外径を一体に取り囲む辺縁凸リブが設けられる。さらに第２収容部の外径はボトル体下開口部の内径にちょうど適合し、ボトル体下開口部に装着すると、その辺縁凸リブがちょうどボトル体下開口部の外径部分を締め付けることができる。
【０００９】
該蓋体の外径は、ボトル体の上開口部の内径にちょうど適合し、上開口部に装着し重ね合わせて密封される。その蓋体の下側に発光装置が設けられ、蓋体の上側に電源スイッチが設けられる。蓋体に通気用の切込部が設けられ、蓋体の密閉された内部に電源装置が設けられる。該電源スイッチおよび電源装置は、発光装置と電気的に接続される。
【００１０】
該栽培培地は、ロックウール（ｒｏｃｋｗｏｏｌ）、パーライト、砂、れき、籾殻、燻炭、発泡プラスチック、バーミキュライト、、発泡煉石、化学合成繊維、ピートモス、おがくず、木の皮、ヤシ殻繊維、および不織布などでよく、これらは底のカップ台の収容部内に充填され、植物を植えるのに使用される。
【図面の簡単な説明】
【００１１】
【図１】図１は、本考案の分解立体図である。
【図２】図２は、本考案の実施状態図である。
【考案を実施するための形態】
【００１２】
以下、本考案の好ましい実施例の図を組み合わせ、以下のようにさらに説明を行い、当業者が本明細書の記載に基づき実施できるようにする。
【実施例】
【００１３】
まず、図１を合わせて参照されたい。図１は、本考案の好ましい実施例における改良された栽培ボトル構造であり、ボトル体１、カップ台２、栽培培地３および蓋体４を組み合わせて形成されることを含む。
【００１４】
該ボトル体１は、上開口部１３および下開口部１１を有し、ボトル体１のボトル部下側の下開口部１１に近い部分に通気孔１２が設けられる。
【００１５】
該カップ台２の底部は密封された平面状であり、底部から上に向かって延伸し、高さを有する収容部が形成される。該収容部に第１収容部２１および第２収容部２３が設けられ、第１収容部２１の外径は、第２収容部２３の内径より小さい。その上側はどちらも開口状であり、その底面はどちらも完全に密封された平面状であり、その底部に近い下側の外径に、辺縁凸リブ２２が一体に設けられる。さらに第２収容部２３のカップ体外径は、ボトル体１の下開口部１１の内径とちょうど適合し、ボトル体１の下開口部１１に装着すると、その辺縁凸リブ２２が、ボトル体１の下開口部１１の外径部分をちょうど締め付けることができる。第１収容部２１内の底面中央に盛上げ部２４が設けられ、盛上げ２４は厚さを有するクッション体であり、これは、第１収容部２１の底部から一体に形成される。盛上げ部２４の上面は、第１収容部２１の底部よりわずかに高く、さらに周縁部の広さは第１収容部２１の底部の広さより小さく、貯水部２５が形成される。該貯水部２５は栽培培地３が充填された後、栽培培地３に追加の貯水空間を提供する。
【００１６】
該蓋体４の外径は、ボトル体１の上開口部１３の内径にちょうど適合し、上開口部１３に装着して重ね合わせ、ボトル体１が密封される。その蓋体４の下側に発光装置４１が設けられ、蓋体１の上側の表面に電源スイッチ４２が設けられる。蓋体１に通気用の切込部４３が設けられ、蓋体４の密閉された内部に電気回路装置が設けられる。該電気回路装置は電源スイッチ４２および発光装置４１と電気的に接続される。該電源スイッチ４２は切換式スイッチであり、タッチコントロールスイッチまたはブレスコントロールスイッチでもよい。
【００１７】
該栽培培地３がカップ台２の第１収容部２１内に充填され、植物５が植えられる。栽培培地３は、ロックウール（ｒｏｃｋｗｏｏｌ）、パーライト、砂、れき、籾殻、燻炭、発泡プラスチック、バーミキュライト、発泡煉石、化学合成繊維、ピートモス、おがくず、木の皮、ヤシ殻繊維、および不織布などでよい。
【００１８】
その組立方法は、まず栽培培地３をカップ台２に充填し、植物５の根部を栽培培地３内に植え込んでから、配合した養液を第１収容部２１内に注ぎ入れ、栽培培地３に十分な養液を吸収させる。多くてあふれ出た養液は第２収容部２３に流れることができる。その後植物を植えたカップ台２をボトル体１の下開口部１１部分から嵌め込み、その第２収容部２３の外径および下開口部１１の内径を緊密に重ね合わせる。カップ台２の辺縁凸リブ２２が下開口部１１の外径縁をちょうど締め付けることができる。
【００１９】
ほかに、発光装置４１が設けられた蓋体４の一端を、ボトル体１の上開口部１３に嵌め込み、上開口部１３が密閉される。組み立てると、すなわち透過性を有する栽培ボトルである。
【００２０】
本考案の特徴は、以下の通りである。
【００２１】
１．該ボトル体１の下側の下開口部１１に近い部分に通気孔１２が設けられ、蓋体４に設けられる切込部４３と組み合わされ、ボトル体１の上開口部１３および下開口部１１が密閉された後、ボトル体１内の空気を上下に対流させることができる。これによりボトル内の温度および水蒸気を適切に調整することができ、ボトル体１の内壁に水蒸気がたまることによる水滴の形成が起こりにくい。植物５を観賞するとき透過性が良好で、さらにボトル体１内の植物５に対し、空気が流れることにより、好ましい酸素循環となりうる。
【００２２】
２．該カップ台２は、ボトル体１の下開口部１１に嵌め込むことができ、さらに下開口部１１から取り出すこともできる。これにより、第１収容部２１の栽培培地３および植物５を交換することができ、さらに新しい養液に交換することもでき、植物５の生存寿命を延長させる。
【００２３】
３．該ボトル体１の上開口部１３に嵌め込む蓋体４が発光装置４１を有し、これによりボトル体１内の植物５が低光源または無光環境においても、発光装置４１の投射による照明のため、明瞭に観賞される効果を達成する。
【００２４】
４．該カップ台２の底部は密閉された平面状であり、さらに栽培培地３および養液を充填することができる第１収容部２１と第２収容部２３が設置される。該底縁に設けられる辺縁凸リブ２２はボトル体１の下開口部１１の外径縁をちょうど締め付けることができ、この設計により栽培ボトルの携帯および設置を行うのに都合がよい。
【００２５】
５．該カップ台２に第１収容部２１および第２収容部２３が設けられ、第１収容部２１の外径は第２収容部２３の内径より小さい。第１収容部２１は栽培培地３が充填された後、栽培培地３を安定させる機能を提供し、第２収容部２３は第１収容部２１で余って溢れ出た水分を保存することができ、さらに栽培ボトル内の湿度を保持することができる。
【００２６】
６．該カップ台２の第１収容部２１内の底面に、盛上げ部２４が設けられる。盛上げ部２４および第１収容部２１の底部によって形成される貯水部２５により、栽培培地３が充填された後、追加の貯水空間を提供することができる。
【００２７】
７．該ボトル体１の材質は、透明度の高いプラスチック材質であり、例えばＰＥＴ、ＰＣ、ＰＣＴＡ、ＰＬＡなどのプラスチック材料により製造される。これにより、栽培ボトルは破損を心配する必要はなく、包装および運送費は相対して節約される。
【００２８】
本考案の栽培ボトル構造は、植物５にボトル体１内で一度水をやった後、長期的に湿度を保持することができる。栽培培地３が養液を吸収し、これにより植物５に水分を含ませ良好に生長させることができる。ほかに、一般のボトル中では温度が比較的高くなることがあり、水蒸気が発生し、ボトル体１の内壁に水滴が生じることがある。したがって、ボトル体１の通気孔１２および蓋体４の切込部４３を設計することにより、ボトル体１内の空気が上下に対流循環する効果を生じさせることができる。さらにボトル体１内の温度を調節し、水滴がボトル体１の内壁に形成されるのを低下させる。またウォータスポットがボトル体１の内壁に付着することも比較的少なく、観賞するとき、ボトル体１に好ましい透過性を持たせる。
【００２９】
続いて、本考案の栽培培地３はロックウールが最も優れている。ロックウールはブロック状であるため、栽培ボトルが倒れて中身がばらまかれるのを心配する必要はなく、さらに吸水性にも優れている。ロックウールは、玄武岩または輝緑岩などの鉱石を１６００℃で溶融した後、高速遠心設備を利用し、岩漿から微小液滴を形成させる。多くの液滴は高速遠心運動により空気中にさらされ、繊維状物質が形成される。その後、多くの繊維を再び圧縮成形してブロックが形成され、すなわちこれがいわゆるロックウールである。ロックウールの内部は、各種の疎水性および親水性の繊維が含まれ、さらに隙間の密度が大きく（９７％）、保水率が強く（８２％）、苗木の固定物および栽培床の支持物として適している。さらに、植物体が必要とする各種必須栄養素を直接水に配合し、植物体を水面に固定して、水中の栄養成分を直接吸収させる。塩類が蓄積した養液を再使用すると、植物の根系が屈曲、褐色化し、株の地上部分に養分不足の症状が現れることがある。したがって、植物の養液を定期的に交換する必要がある。
【００３０】
本考案の栽培ボトルは、衝突および倒れて中身がばらまかれるのを防止することを確実に達成することができる。さらにボトル体１に保存された植物５は移動しにくく、室内への設置に非常に適しており、スペース全体を緑であふれさせる。同時に軽量化にも適しており、携帯用の栽培ボトルに利用される。
【００３１】
上記を総合すると、本考案の栽培ボトルは、ボトル体１およびカップ台２を組み合わせた構造により、植物５および養液の交換を円滑に行うことができる。栽培ボトルの通気孔１２および切込部４３を組み合わせた設計が、ボトル内の空気の対流をスムーズにし、ボトル内の植物５は良好な生育環境を得る。さらに、ボトル体１の内壁に水滴が形成および付着しにくく、ボトル体１の透過性を優れたものにする。さらに包装費用を低下させ、運送における損失も低下させる。構造が簡単で、携帯に便利な栽培ボトル構造を再び確実に市場に提供することができる。
【００３２】
しかし、上述したのは、本考案の好ましい実施例に過ぎず、これにより本考案の実施範囲を限定することはできない。つまり本実用新案登録請求の範囲および考案の説明の内容に基づいて行われる簡単な同等の変化および修飾は、すべて本考案の包含する範囲に属する。
【符号の説明】
【００３３】
１  ボトル体
１１  下開口部
１２  通気孔
１３  上開口部
２  カップ台
２１  第１収容部
２２  辺縁凸リブ
２３  第２収容部
２４  盛上げ部
２５  貯水部
３  栽培培地
４  蓋体
４１  発光装置
４２  電源スイッチ
４３  切込部
５  植物
【図１】
0003178362.tif 000003
【図２】
0003178362.tif 000004